(57)【要約】【課題】部材の表面を傷付けることなく且つビス等を用いることなく簡単に組み立てることができ、湾曲部を有する断面形状の部材にも対応することができ、尚且つ所定の強度を充分に満足させることのできる格子体の提供。【解決手段】一方の部材１と、一方の部材を貫通する他方の部材２とを備え、一方の部材は、他方の部材を前後から挟む前側部材７及び後側部材８と、前側部材と後側部材の接合部分を内側で繋ぐ繋ぎ材１０とで構成してあり、前側部材７は他方の部材の前面部３を呑み込む凹部５と長手方向に繋ぎ材１０が嵌合する係止部１４を有し、後側部材８は他方の部材の後面部４を呑み込む凹部６と長手方向に繋ぎ材１０が嵌合する係止部１４を有し、繋ぎ材１０が他方の部材に設けた貫通孔１５を貫通し、一方の部材が他方の部材に固定してあることを特徴とする。【選択図】　　　図１
2004027560.tif 000002
【特許請求の範囲】
【請求項１】
一方の部材と、一方の部材を貫通する他方の部材とを備え、一方の部材は、他方の部材を前後から挟む前側部材及び後側部材と、前側部材と後側部材の接合部分を内側で繋ぐ繋ぎ材とで構成してあり、前側部材は他方の部材の前面部を呑み込む凹部と長手方向に繋ぎ材が嵌合する係止部を有し、後側部材は他方の部材の後面部を呑み込む凹部と長手方向に繋ぎ材が嵌合する係止部を有し、繋ぎ材が他方の部材に設けた貫通孔を貫通し、一方の部材が他方の部材に固定してあることを特徴とする格子体。
【発明の詳細な説明】
【０００１】
【発明の属する技術分野】
本発明は、ビスやリベットを使わずに構成する格子体に関する。
【０００２】
【従来の技術】
二部材を交差状に連結する構造としては、一方の部材の対向する側壁に貫通穴を空け、その貫通孔に他方の部材を挿通してビスやリベットで固定する構造があった。この構造だと、他方の部材を一方の部材の貫通孔に挿通する時に、他方の部材の表面が擦れて傷が付く欠点がある。また、ビスやリベットの頭が露出するので体裁が悪い。
【０００３】
実開平６−４３１９５号公報には、横方向に伸びる一方の部材を断面コ字状の部材とその開口を塞ぐ蓋材とで構成し、コ字状部材の対向する上下壁に縦方向に伸びる他方の部材を収容する切り欠きを設け、コ字状部材と蓋材とで他方の部材を両側から挟んで結合する構造が開示されている。蓋材は、裏面側に長手方向に連続した係止突条を備え、コ字状部材の内部にはこれと係合するビスホールを備えており、係止突条を他方の部材に形成した切り欠きに嵌合させることで、二部材の固定がなされている。この構造によれば、他方の部材の表面に傷が付くことがなく、ビスやリベットを使用しないので外観が良好であり、組み立ての作業性も良好であった。
【０００４】
【発明が解決しようとする課題】
しかし上記の構造は、一方の部材をコ字状部材と蓋材とで構成してあるので、一方の部材の前後の面を湾曲面とすることができなかった。また、一方の部材と他方の部材の両方に切り欠きを設けるので、切り欠きの加工に多くの手数を要するとともに、一方の部材のみならず他方の部材の強度も低下し、格子体全体としての強度が低下するという問題もあった。
【０００５】
本発明は以上に述べたような実情に鑑み、部材の表面を傷付けることなく且つビス等を用いることなく簡単に組み立てることができ、湾曲部を有する断面形状の部材にも対応することができ、尚且つ所定の強度を充分に満足させることのできる格子体の提供を目的とする。
【０００６】
【課題を解決するための手段】
上記の課題を達成するために本発明の格子体は、一方の部材と、一方の部材を貫通する他方の部材とを備え、一方の部材は、他方の部材を前後から挟む前側部材及び後側部材と、前側部材と後側部材の接合部分を内側で繋ぐ繋ぎ材とで構成してあり、前側部材は他方の部材の前面部を呑み込む凹部と長手方向に繋ぎ材が嵌合する係止部を有し、後側部材は他方の部材の後面部を呑み込む凹部と長手方向に繋ぎ材が嵌合する係止部を有し、繋ぎ材が他方の部材に設けた貫通孔を貫通し、一方の部材が他方の部材に固定してあることを特徴とする。
【０００７】
【発明の実施の形態】
以下、本発明の実施の形態を図面に基づいて説明する。図４は、枠体１１の内側に格子体１２を嵌め入れて固定した格子戸を示している。格子体１２は横桟１と竪桟２とで縦横の格子状に構成されている。横桟１と竪桟２は直角に交差しており、各交差箇所において竪桟２が横桟１を貫通し、横桟１が竪桟２に固定されている。
【０００８】
竪桟２は、図２に示すように矩形断面の中空形状となっている。また横桟１は、図３に示すように、全体として見れば下部側が開放した断面コ字形形状となっているが、実際には前後の壁を繋ぐ接続壁１３が前後方向のちょうど真ん中で分割してあり、断面略Ｌ字状の前側部材７と後側部材８の二つを合わせて構成したものとなっている。前側部材７には、図１に示すように、竪桟２の前面部３を呑み込むコ字状の凹部５を設けてあり、同じように後側部材８には、竪桟２の後面部４を呑み込むコ字状の凹部６を設けてある。また前側部材７と後側部材８は、互いに接合させる部分の内側に、鉤形の係止部１４を長手方向に連続的に備えている。前側部材７と後側部材８は、接合した両部材の係止部１４，１４を、両側に係止部１４の嵌合部９を有する長尺溝形の繋ぎ材１０を嵌め込んで繋ぎ止めることで、一体化されている。繋ぎ材１０は、前側部材７及び後側部材８と略同一の長さを有しており、竪桟２の左右側壁に貫通孔１５を設け、その孔から繋ぎ材１０を竪桟２に貫通させてある。このように本格子体１２は、繋ぎ材１０が前側部材７と後側部材８を一体化すると共にこれを竪桟２に固定している。
【０００９】
この格子体１２の組み立てに当っては、前側部材７と後側部材８に凹部５，６を、竪桟２には貫通孔１５を予め形成しておき、前側部材７と後側部材８をその凹部５，６に竪桟２の前面部３と後面部４を夫々呑み込ませて接合する。その後、前側部材７と後側部材８の長手方向の一端部より繋ぎ材１０を中に差し込み、両部材の係止部１４に繋ぎ材１０の嵌合部９をスライド嵌合させる。その際、繋ぎ材１０が竪桟の貫通孔１５に挿通されるので、横桟１が竪桟２に固定されることとなる。その後で、繋ぎ材１０をその両側の端部や竪桟２の両側の部分でペンチのようなもので挟んでかしめておけば、繋ぎ材１０が抜けるのを防止できる。
【００１０】
本発明の格子体において、一方の部材（横桟１）の断面形状はコ字形に限定されず、種々の断面形状とすることができる。例えば図５に示すように、前側部材７と後側部材８の断面形状を略半円形とし、上下二箇所の接合部分を繋ぎ材１０で繋ぎ止めることで、横桟１の断面形状を円形や楕円形とすることができる。また他方の部材（竪桟２）についても、矩形断面に限らず種々の断面形状とすることができる。他方の部材は、中空材に限らず中実材とすることもできる。一方の部材と他方の部材が交差する角度は、９０度に限らず斜めに交差するものであってもよい。また、本発明の格子体は用途が限定されるものではなく、格子戸や面格子、フェンスといった住宅関連の商品をはじめとして、輸送のために用いるパレットやかご等、様々な分野で利用することができる。
【００１１】
【発明の効果】
本発明の格子体は、他方の部材を呑み込む凹部を有する前側部材と後側部材で他方の部材を前後から挟み、前側部材と後側部材の接合部分を繋ぎ材で内側から繋いで一方の部材を構成したので、組み立てる際に部材の表面に傷が付くことがなく、しかも繋ぎ材を一方の部材の内側に差し込むだけで簡単に組み立てでき、ビスやリベット等を使用せず、繋ぎ材が外部から見えないことから外観意匠を良好なものにできる。また本発明の格子体は、一方の部材の前後の面が湾曲しているものにも対応できる。他方の部材には繋ぎ材が貫通する貫通孔を空けるだけでよく、切り欠きを設ける場合に比べて他方の部材の強度が増し、格子体全体としての強度が向上する。また、前加工に要する手間を削減できる。
【図面の簡単な説明】
【図１】本発明の格子体の一実施形態を示す分解斜視図である。
【図２】図４におけるＡ−Ａ断面図である。
【図３】図４におけるＢ−Ｂ断面図である。
【図４】本発明の格子体の一実施形態を示す正面図である。
【図５】本発明の格子体の別の実施形態を示す側面図である。
【符号の説明】
１　横桟（一方の部材）
２　竪桟（他方の部材）
３　前面部
４　後面部
５，６　凹部
７　前側部材
８　後側部材
９　嵌合部
１０　繋ぎ材
１４　係止部
１５　貫通孔
【図１】
2004027560.tif 000003
【図２】
2004027560.tif 000004
【図３】
2004027560.tif 000005
【図４】
2004027560.tif 000006
【図５】
2004027560.tif 000007